(57)【特許請求の範囲】
【請求項１】
被露光試料が載置されるウエハステージを備えた試料室と電子ビームを前記試料上に照射する電子ビーム光学鏡筒で構成される電子ビーム露光装置本体が外気から隔離する環境チャンバーに収容された電子ビーム露光装置であって、
前記環境チャンバーの内部の気圧を計測する内部気圧計と、
前記環境チャンバーの外部の気圧を計測する外部気圧計と、
前記環境チャンバーの内部に気体を供給して気圧を制御する気圧制御器と、
前記外部気圧計で計測された気圧を基に当該気圧の変動を滑らかな気圧変動関数で近似し、前記気圧制御器を介して当該気圧変動関数に従うように前記環境チャンバーの内部の気圧を連続的に調整する制御部とを有することを特徴とする電子ビーム露光装置。
【請求項２】
更に、前記電子ビーム露光装置本体は、電子ビームのビーム照射位置を測定する電子ビーム位置検出部と、露光データに基づいて前記電子ビームを偏向する偏向器とを備え、
前記制御部は、ビーム照射位置の予測関数及び前記環境チャンバーの内部の気圧の変化を基にビーム照射位置を算出し、前記電子ビーム位置検出部で測定された電子ビームのビーム照射位置との差分に相当する露光データの補正量を算出し、当該補正量で補正された露光データに従って前記被露光試料を露光することを特徴とする請求項１に記載の電子ビーム露光装置。
【請求項３】
前記気圧変動関数は、前記外部気圧計で計測された気圧を所定の時間間隔の計測値による移動平均によって算出されることを特徴とする請求項１又は２に記載の電子ビーム露光装置。
【請求項４】
前記予測関数は、過去の複数回のキャリブレーション時刻における複数の計測値を基に算出され、当該複数の計測値を滑らかに結ぶ関数であることを特徴とする請求項２に記載の電子ビーム露光装置。
【請求項５】
前記予測関数は、次式で表わされることを特徴とする請求項４に記載の電子ビーム露光装置。
0005305701.tif 000012
ここで、Δ（Ｔ）は時刻Ｔにおける予測値、Ｑｉは時刻Ｔｉにおける電子ビーム照射位置の計測値、ｎは自然数である。
【請求項６】
前記制御部は、前記環境チャンバーの内部の気圧の変動量に焦点補正係数を乗じた量を補正量として前記露光データを補正し、前記電子ビームの焦点を補正することを特徴とする請求項２に記載の電子ビーム露光装置。
【請求項７】
前記電子ビーム露光装置本体は、前記電子ビーム光学鏡筒を複数有することを特徴とする請求項２に記載の電子ビーム露光装置。
【請求項８】
前記環境チャンバーは、前記電子ビーム露光装置本体が収容される第１のチャンバーと、当該第１のチャンバーと外部との間に設けられた第２のチャンバーとで構成され、当該第２のチャンバーは前記第１のチャンバーとの間に第１の開閉口を備え、外部との間に第２の開閉口を備え、
前記制御部は、前記第１の開閉口が開かれるときは前記第１のチャンバーと前記第２のチャンバーの気圧を同一にし、前記第２の開閉口が開かれるときは前記第２のチャンバーと前記外部の気圧を同一にすることを特徴とする請求項２に記載の電子ビーム露光装置。
【請求項９】
被露光試料が載置されるウエハステージを備えた試料室と電子ビームを前記試料上に照射する電子ビーム光学鏡筒で構成される電子ビーム露光装置本体が外気から隔離する環境チャンバーに収容された電子ビーム露光装置における電子ビーム露光方法であって、
前記外気の気圧を測定し、滑らかな気圧変動関数を取得するステップと、
前記気圧変動関数に従って、前記環境チャンバー内部の気圧を連続的に調整するステップと、
前記環境チャンバー内部の気圧が調整された状態で、ビーム照射位置の予測関数及び前記環境チャンバーの内部の気圧の変化を基に前記電子ビームの照射位置の予測値を算出するステップと、
前記予測値を基に、露光データを補正するステップと、
前記補正された露光データに従って露光処理を実施するステップと、
を有することを特徴とする電子ビーム露光方法。
【請求項１０】
前記気圧変動関数は、前記環境チャンバーの外部に設置された気圧計で計測された気圧を所定の時間間隔の計測値による移動平均によって算出されることを特徴とする請求項９に記載の電子ビーム露光方法。
【請求項１１】
前記予測関数は、過去の複数回のキャリブレーション時刻における複数の計測値を基に算出され、当該複数の計測値を滑らかに結ぶ関数であることを特徴とする請求項９に記載の電子ビーム露光方法。
【請求項１２】
前記予測関数は、次式で表わされることを特徴とする請求項１１に記載の電子ビーム露光方法。
0005305701.tif 000013
ここで、Δ（Ｔ）は時刻Ｔにおける予測値、Ｑｉは時刻Ｔｉにおける電子ビーム照射位置の計測値、ｎは自然数である。
【発明の詳細な説明】
【技術分野】
【０００１】
本発明は、電子ビーム露光装置及び電子ビーム露光方法に関し、特に、露光装置の周辺の気圧が変化しても高精度に露光可能な電子ビーム露光装置及び電子ビーム露光方法に関する。
【背景技術】
【０００２】
電子ビーム露光装置では、スループットの向上を図るために、ステンシルマスクに可変矩形開口又は複数のステンシルマスクパターンを用意し、ビーム偏向によりそれらを選択してウエハに転写露光している。
【０００３】
このような露光装置として、例えば特許文献１には部分一括露光をする電子ビーム露光装置が開示されている。部分一括露光とは、マスク上に配置した複数個、例えば１００個のステンシルパターンからビーム偏向により選択した一つのパターン領域、例えば２０×２０μｍの領域にビームを照射し、ビーム断面をステンシルパターンの形状に成形し、さらにマスクを通過したビームを後段の偏向器で偏向振り戻し、電子光学系で決まる一定の縮小率、例えば１／１０に縮小し、試料面に転写する。一度に照射される試料面の領域は、例えば２×２μｍである。露光するデバイスパターンに応じてマスク上のステンシルパターンを適切に用意すれば、可変矩形開口だけの場合より、必要な露光ショット数が大幅に減少し、スループットが向上する。
【０００４】
さらに、このような露光装置のコラム一つ一つの大きさを小さくしたもの（以下、コラムセルと呼ぶ）を複数個集め、ウエハ上に並べて並列して露光処理するマルチコラム電子ビーム露光装置が提案されている。各コラムセルはシングルコラムの電子ビーム露光装置のコラムと同等であるが、マルチコラム全体では並列して処理するため、コラム数倍の露光スループットの増加が可能である。
【０００５】
このようなマルチコラム電子ビーム露光装置を使用することにより、スループットの向上を図ることが可能であるが、その前提として露光データに従って精度良く電子ビームを照射することが要求される。
【０００６】
電子ビーム露光装置では、露光精度を高精度に維持するため、通常、所定の時間毎にキャリブレーションを行っている。このキャリブレーションによって、露光精度を劣化させる一因と考えられている、電子ビームの照射位置や電磁レンズによる収束（焦点）が変化するドリフトと呼ばれる現象の影響を小さくしている。
【０００７】
このドリフトは露光装置を使用する環境、特に、気圧の変化による影響を強く受け、かつ制御が困難であると考えられている。
【０００８】
これに対して、特許文献２では、投影光学装置において、光学性能に悪影響を及ぼす外乱要因の気圧や温度を定常化する技術が記載されている。
【特許文献１】特開２００４−８８０７１号公報
【特許文献２】昭６２−１８１４２６号公報
【発明の開示】
【発明が解決しようとする課題】
【０００９】
上述したような露光装置に影響を及ぼす気象条件は、高気圧・低気圧の移動や音波によって容易に変動する。例えば、高気圧や台風の移動によっては１０分で１ｈｐ程度の高速な気圧変動が起こり得る。この場合、０．５μｍの焦点高さの変動が１０分間で発生する。また、気圧変動に伴い、照射位置が１０分間で１０ｎｍ以上ドリフトすることがあった。
【００１０】
これに対して、露光装置を収容する環境チャンバーの内部の気圧を一定値、例えば、０．０１ｈｐにすることが可能であれば、気圧の影響によるドリフトや焦点変動を小さくすることが可能である。
【００１１】
しかし、実際の気圧変動は１００ｈｐに及ぶ場合もあり、約０．１気圧に耐えうる環境チャンバーを用意する必要がある。このような環境チャンバーは、１０ｍ×１０ｍのチャンバー一面に対して１００トンの力に耐える剛性が必要とされるため、環境チャンバーの構築は非現実的であり、一定気圧の環境を用意することは困難である。
【００１２】
本発明は、かかる従来技術の課題に鑑みなされたものであり、目的は、高速な気圧変動に対しても特殊な環境チャンバーを用意することなく、露光精度の低下を防止することが可能な電子ビーム露光装置及び電子ビーム露光方法を提供することである。
【課題を解決するための手段】
【００１３】
上記した課題は、被露光試料が載置されるウエハステージを備えた試料室と電子ビームを前記試料上に照射する電子ビーム光学鏡筒で構成される電子ビーム露光装置本体が外気から隔離する環境チャンバーに収容された電子ビーム露光装置であって、前記環境チャンバーの内部の気圧を計測する内部気圧計と、前記環境チャンバーの外部の気圧を計測する外部気圧計と、前記環境チャンバーの内部に気体を供給して気圧を制御する気圧制御器と、前記外部気圧計で計測された気圧を基に当該気圧の変動を滑らかな気圧変動関数で近似し、前記気圧制御器を介して当該気圧変動関数に従うように前記環境チャンバーの内部の気圧を連続的に調整する制御部とを有することを特徴とする電子ビーム露光装置により解決する。
【００１４】
この形態に係る電子ビーム露光装置において、更に、前記電子ビーム露光装置本体は、電子ビームのビーム照射位置を測定する電子ビーム位置検出部と、露光データに基づいて前記電子ビームを偏向する偏向器とを備え、前記制御部は、ビーム照射位置の予測関数及び前記環境チャンバーの内部の気圧の変化を基にビーム照射位置を算出し、前記電子ビーム位置検出部で測定された電子ビームのビーム照射位置との差分に相当する露光データの補正量を算出し、当該補正量で補正された露光データに従って前記被露光試料を露光するようにしてもよい。
【００１５】
また、この形態に係る電子ビーム露光装置において、前記気圧変動関数は、前記外部気圧計で計測された気圧を所定の時間間隔の計測値による移動平均によって算出されるようにしてもよく、前記予測関数は、過去の複数回のキャリブレーション時刻における複数の計測値を基に算出され、当該複数の計測値を滑らかに結ぶ関数であるようにしてもよく、前記予測関数は、次式で表わされるようにしてもよい。
0005305701.tif 000002
【００１６】
ここで、Δ（Ｔ）は時刻Ｔにおける予測値、Ｑｉは時刻Ｔｉにおける電子ビーム照射位置の計測値、ｎは自然数である。
【００１７】
本発明では、電子ビーム光学鏡筒及び試料室からなる電子ビーム露光装置本体を外気から隔離する環境チャンバー内に収容し、外部の気圧を計測して気圧変動を十分滑らかな気圧変動関数で近似し、環境チャンバーの気圧をこの気圧変動関数に合わせるようにしている。このような気圧変化の状況下で、ビーム照射位置の予測関数と環境チャンバー内の気圧の変化を基に、ビーム照射位置を予測している。予測関数は、例えば、過去に実測した数点を通る曲線を現す関数である。予測したビーム照射位置に基づいて、露光データの補正量を算出し、偏向器に印加する電圧値を算出している。
【００１８】
このように、環境チャンバー内の気圧を滑らかに変動させているため、ビームのドリフトの予測値と実際のドリフト値とが大きくずれることがなくなり、ビーム照射位置を補正することが可能となる。これにより、気圧の変動が高速であっても、気圧の変動に対して高い剛性の特別な環境チャンバーを用意することなく、気圧の変動による影響を極力削減して、ビーム照射位置のドリフトを低減し、露光精度を向上することが可能となる。
【００１９】
また、本発明の他の形態によれば、上記の形態に係る電子ビーム露光装置において実施される電子ビーム露光方法が提供される。その一形態に係る電子ビーム露光方法は、被露光試料が載置されるウエハステージを備えた試料室と電子ビームを前記試料上に照射する電子ビーム光学鏡筒で構成される電子ビーム露光装置本体が外気から隔離する環境チャンバーに収容された電子ビーム露光装置における電子ビーム露光方法であって、前記外気の気圧を測定し、滑らかな気圧変動関数を取得するステップと、前記気圧変動関数に従って、前記環境チャンバー内部の気圧を連続的に調整するステップと、前記環境チャンバー内部の気圧が調整された状態で、前記電子ビームの照射位置を計測し、所定の予測関数に適用して前記電子ビームの照射位置の予測値を算出するステップと、前記予測値を基に、露光データを補正するステップと、前記補正された露光データに従って露光処理を実施するステップと、を有することを特徴とする。
【発明を実施するための最良の形態】
【００２０】
以下、本発明の実施の形態について、図面を参照して説明する。本実施形態では、マルチコラム電子ビーム露光装置を対象として説明する。まず、図１から図３を参照して、マルチコラム電子ビーム露光装置本体の説明をする。次に、図４から図６を参照して、気圧変動に対する対処手法について説明する。次に、図７から図１０を参照して、気圧変動の問題点を解決する気圧調整機能を備えたマルチコラム電子ビーム露光装置について説明する。最後に図１１及び図１２を参照して、電子ビーム露光方法について説明する。
【００２１】
（マルチコラム電子ビーム露光装置本体の構成）
図１は、本実施形態に係るマルチコラム電子ビーム露光装置本体の概略構成図である。
【００２２】
マルチコラム電子ビーム露光装置本体は、電子ビームコラム１０と電子ビームコラム１０を制御する制御部２０に大別される。このうち、電子ビームコラム１０は、同等なコラムセル１１が複数、例えば１６集まって、全体のコラムが構成されている。すべてのコラムセル１１は後述する同じユニットで構成される。コラムセル１１の下には、例えば３００ｍｍウエハ１２を搭載したウエハステージ１３が配置されている。
【００２３】
一方、制御部２０は、電子銃高圧電源２１、レンズ電源２２、デジタル制御部２３、ステージ駆動コントローラ２４及びステージ位置センサ２５を有する。これらのうち、電子銃高圧電源２１は電子ビームコラム１０内の各コラムセル１１の電子銃を駆動させるための電源を供給する。レンズ電源２２は電子ビームコラム１０内の各コラムセル１１の電磁レンズを駆動させるための電源を供給する。デジタル制御部２３は、コラムセル１１各部をコントロールする電気回路であり、ハイスピードの偏向出力などを出力する。デジタル制御部２３はコラムセル１１の数に対応する分だけ用意される。
【００２４】
ステージ駆動コントローラ２４は、ステージ位置センサ２５からの位置情報を基に、ウエハ１２の所望の位置に電子ビームが照射されるようにウエハステージ１３を移動させる。上記の各部２１〜２５は、ワークステーション等の統合制御系２６によって統合的に制御される。
【００２５】
上述したマルチコラム電子ビーム露光装置では、すべてのコラムセル１１は同じコラムユニットで構成されている。
【００２６】
図２は、マルチコラム電子ビーム露光装置に使用される図１の各コラムセル１１の概略構成図である。
【００２７】
各コラムセル１１は、露光部１００と、露光部１００を制御するコラムセル制御部３１とに大別される。このうち、露光部１００は、電子ビーム生成部１３０、マスク偏向部１４０及び基板偏向部１５０によって構成される。
【００２８】
電子ビーム生成部１３０では、電子銃１０１から生成した電子ビームＥＢが第１電磁レンズ１０２で収束作用を受けた後、ビーム整形用マスク１０３の矩形アパーチャ１０３ａを透過し、電子ビームＥＢの断面が矩形に整形される。
【００２９】
その後、電子ビームＥＢは、マスク偏向部１４０の第２電磁レンズ１０５によって露光マスク１１０上に結像される。そして、電子ビームＥＢは、第１、第２静電偏向器１０４、１０６により、露光マスク１１０に形成された特定のパターンＰに偏向され、その断面形状がパターンＰの形状に整形される。
【００３０】
なお、露光マスク１１０はマスクステージ１２３に固定されるが、そのマスクステージ１２３は水平面内において移動可能であって、第１、第２静電偏向器１０４、１０６の偏向範囲（ビーム偏向領域）を超える部分にあるパターンＰを使用する場合、マスクステージ１２３を移動することにより、そのパターンＰをビーム偏向領域内に移動させる。
【００３１】
露光マスク１１０の上下に配された第３、第４電磁レンズ１０８、１１１は、それらの電流量を調節することにより、電子ビームＥＢを基板上で結像させる役割を担う。
【００３２】
露光マスク１１０を通った電子ビームＥＢは、第３、第４静電偏向器１１２、１１３の偏向作用によって光軸Ｃに振り戻された後、第５電磁レンズ１１４によってそのサイズが縮小される。
【００３３】
マスク偏向部１４０には、第１、第２補正コイル１０７、１０９が設けられており、それらにより、第１〜第４静電偏向器１０４、１０６、１１２、１１３で発生するビーム偏向収差が補正される。
【００３４】
その後、電子ビームＥＢは、基板偏向部１５０を構成する遮蔽板１１５のアパーチャ１１５ａを通過し、第１、第２投影用電磁レンズ１１６、１２１によって基板上に投影される。これにより、露光マスク１１０のパターンの像が、所定の縮小率、例えば１／１０の縮小率で基板に転写されることになる。
【００３５】
基板偏向部１５０には、第５静電偏向器１１９と電磁偏向器１２０とが設けられており、これらの偏向器１１９、１２０によって電子ビームＥＢが偏向され、基板の所定の位置に露光マスクのパターンの像が投影される。
【００３６】
更に、基板偏向部１５０には、基板上における電子ビームＥＢの偏向収差を補正するための第３、第４補正コイル１１７、１１８が設けられる。
【００３７】
一方、コラムセル制御部３１は、電子銃制御部２０２、電子光学系制御部２０３、マスク偏向制御部２０４、マスクステージ制御部２０５、ブランキング制御部２０６及び基板偏向制御部２０７を有する。これらのうち、電子銃制御部２０２は電子銃１０１を制御して、電子ビームＥＢの加速電圧やビーム放射条件等を制御する。また、電子光学系制御部２０３は、電磁レンズ１０２、１０５、１０８、１１１、１１４、１１６及び１２１への電流量等を制御して、これらの電磁レンズが構成される電子光学系の倍率や焦点位置等を調節する。ブランキング制御部２０６は、ブランキング電極１２７への印加電圧を制御することにより、露光開始前から発生している電子ビームＥＢを遮蔽板１１５上に偏向し、露光前に基板上に電子ビームＥＢが照射されるのを防ぐ。
【００３８】
基板偏向制御部２０７は、第５静電偏向器１１９への印加電圧と、電磁偏向器１２０への電流量を制御することにより、基板の所定の位置上に電子ビームＥＢが偏向されるようにする。上記の各部２０２〜２０７は、ワークステーション等の統合制御系２６によって統合的に制御される。
【００３９】
図３は、マルチコラム型電子ビーム露光装置におけるコラムセル制御部３１の模式図である。コラムセル制御部３１はコラムセル１１のそれぞれが有している。各コラムセル制御部３１はマルチコラム型電子ビーム露光装置の全体を制御する統合制御系２６とバス３４で接続される。また、統合記憶部３３は、例えばハードディスクで構成され、露光データ等すべてのコラムセルで必要となるデータが格納されている。統合記憶部３３も統合制御系２６とバス３４で接続されている。
【００４０】
このように構成されたマルチコラム電子ビーム露光装置において、ウエハステージ１３に載置したウエハ１２上に露光するパターンの露光データを統合記憶部３３から各コラムセル制御部３１のコラムセル記憶部３５に転送する。転送された露光データは、補正が必要であれば各コラムセル制御部３１の補正部３６において補正される。
【００４１】
（気圧変動に対する対処手法）
次に、気圧の変動に対してビーム照射位置を補正する処理について説明する。
【００４２】
図４は、４つのコラムセルを一列に並べて配置されたマルチコラム電子ビーム露光装置を示した模式断面図である。図４の露光装置では、４つの電磁レンズ４１ａ〜４１ｄを有しており、これらの電磁レンズ４１ａ〜４１ｄはそれぞれコイル４２ａ〜４２ｄで構成されている。また、電磁レンズ４１ａを形成する磁極板には各コラムセルに対応して開口４４ａ〜４４ｄを有しており、電子銃４３ａ〜４３ｄから放出された電子ビームＥＢ１〜ＥＢ４がそれぞれ開口４４ａ〜４４ｄを通過して試料１２上に照射される。このような露光装置に対して、例えば図４の白抜き矢印で示すように、圧力がかかり、装置外形が変形してしまう。
【００４３】
図５は、電子光学鏡筒及び試料室で構成される電子ビームコラム１０に圧力がかかったときの変動の様子を模式的に示した図である。図５に示すように、試料室１０ａの上部が下方に変動し、その上に配置されている電子ビーム光学鏡筒１０ｂも下方に位置が変動する。これにより、電磁レンズの焦点がずれてしまう。また、電子ビーム光学鏡筒１０ｂにも横方向に圧力がかかり、電子ビームの光軸が平常時とは異なり、図５（ｂ）の破線矢印で示すように、斜め方向に電子ビームがずれて照射されてしまう。そのため、露光データに従って電子ビームを照射しても照射位置にずれが生じてしまうことになる。なお、図５では、コラムセルが一つの場合を示しているが、電子ビームコラム１０の変動の様子は複数のコラムセルを有する場合も同様である。
【００４４】
図６は、外気の気圧の変動の一例を示した図である。横軸は時間を示し、縦軸は気圧を示している。図６は半導体工場に露光装置を収容する環境チャンバーを設置した場合を例にとって気圧の変動を示した図である。図６の曲線Ｌ１は半導体工場内部の気圧変動を示した気圧変動曲線である。この気圧変動曲線Ｌ１は、１０分で１ｈｐ程度の気圧変動を示している。このような気圧変動の状況下で電子ビーム露光処理を行うと、ビーム照射位置が１０分間で１０ｎｍ以上ドリフトしてしまうという問題が発生している。
【００４５】
ビーム照射位置のドリフトは過去の数点のドリフト位置を基にある程度予測することが可能である。よって、予めビーム照射位置のドリフトを予測し、ドリフト量をキャンセルするように露光データを補正することによって精度を向上させることができる。
【００４６】
しかし、図６の気圧変動曲線Ｌ１に示すように変化率の大きな高速の気圧変動の状況下では、ビーム位置のドリフトを過去のドリフト位置を用いて予測することは困難である。すなわち、予測関数を用いてドリフト位置を予測しても、実際のビーム照射位置とは大きく異なってしまう。そのため、環境チャンバーの内部を気圧変動曲線Ｌ１に近似させたとしても、ビーム照射の精度を向上させることは困難である。
【００４７】
また、環境チャンバーの内部の気圧を一定にすれば、気圧の変動によるドリフトを防止することが可能であるが、気圧を一定にするためには１００トンもの圧力に耐えうる環境チャンバーにする必要があり、非現実的である。本実施形態では、環境チャンバー内の気圧変化が、ビーム位置のドリフトが予測可能な程度の気圧変化になるように、図６の気圧変動曲線Ｌ１を滑らかな曲線に近似する。例えば、気圧変動曲線Ｌ１に対して、移動平均をすることにより気圧変動曲線Ｌ１を平滑化した曲線にする。例えば、直近の１分毎に１０時間分の気圧データの平均をとって気圧変動曲線Ｌ１を平滑化する。図６の曲線Ｌ２は、気圧変動曲線に対して移動平均して得られる気圧変動を平滑化した平滑気圧変動曲線Ｌ２を示している。
【００４８】
（気圧調整機能を備えたマルチコラム電子ビーム露光装置の構成）
図７は、気圧調整機能を備えたマルチコラム電子ビーム露光装置５０を示す構成図である。マルチコラム電子ビーム露光装置本体１０は、外部の大気から隔離する環境チャンバー５１内に収容され、環境チャンバー５１内に設置された内部気圧計５３と、環境チャンバー外部に設置された外部気圧計５４と、環境チャンバー５１の内部の気圧を調整する気圧制御器５９と、これらの内部気圧計５３、外部気圧計５４、気圧制御器５９を制御する制御部５８で基本構成されている。なお、制御部５８は図１において統合制御系２６が相当する。
【００４９】
内部気圧計５３は、環境チャンバー５１の内部の気圧を検出し、外部気圧計５４は環境チャンバー５１の外部の気圧を検出する。これらの気圧計５３，５４は、例えば、ダイアフラム型気圧計を使用する。ダイアフラム型気圧計は、一定の気体の入った閉じた空間をダイアフラムで作り、環境チャンバー内又は環境チャンバー外部の気圧変動によって変化するダイアフラムの動きを電気的に変換して気圧を計測する。
【００５０】
気圧制御器５９は、制御部５８からの指示に基づいて、環境チャンバー５１内部の気圧を調整する。図８は、気圧制御器の一例を示した図である。図８に示すように、気圧制御器５９は、加圧ポンプ８１と、空気だめ８２と、エアーベアリング８３で基本構成されている。加圧ポンプ８１を用いて加圧された空気だめ８２内の気体が環境チャンバー５１へ流入するようにしている。その際にエアーベアリング８３を制御して空気の流量制御が行われる。エアーベアリング８３の制御は、制御部５８からの指示に応じて行われる。なお、空気の流れを確保するために空気抜き穴５７を設けておく。環境チャンバー５１と外部との空気の流通はこの空気抜き穴５７を通してのみ行われる。従って、電源ケーブル５６等の環境チャンバー５１内部への導入に際しては、空気漏れがないように目張り等の処理を施す。
【００５１】
このように構成された気圧制御機能を備えたマルチコラム電子ビーム露光装置５０において、制御部５８は環境チャンバー５１外部の気圧を取得して、外部の気圧変動を滑らかな気圧変動関数に近似する。例えば、気圧データを基に移動平均を行って滑らかな気圧変動関数を算出する。制御部５８は気圧制御器５９に気圧の移動平均データに応じた量の空気を環境チャンバー５１内部に流入させるように指示する。このようにして、環境チャンバーの５１内部の気圧を滑らかな気圧変動の状態に調整する（図６の破線Ｌ３参照）。
【００５２】
このような滑らかな気圧変動の状況下において、ビーム照射位置や気圧に依存して変化する焦点位置とビーム位置ドリフトを定期的に計測して、電子ビームのビームドリフトの予測を行う。そして、予測量からの偏差を求めて気圧変動分を考慮した露光データの補正を行い、次の計測時間までの描画を十分に滑らかな予測関数で気圧補正を行って描画する。
【００５３】
通常、予め決められた時間間隔で電子ビームのキャリブレーションを行っている。この場合、例えば、ある時点において電子ビームの照射位置のキャリブレーションを行い、次のキャリブレーションまでは同じ補正値を用いて補正している。すなわち、この間は電子ビームの照射位置の位置ずれ量が変化しているにもかかわらず、キャリブレーション時に実測した位置に対する補正値を使用しているため、正確に補正することができず、精度劣化の原因となる。
【００５４】
図９は、電子ビームを照射したときの時間に対する照射位置のずれを予測したビーム位置予測曲線を示す図である。図９の横軸は時間を、縦軸は照射位置を示している。なお、位置ずれはｘ方向とｙ方向を考慮することが必要であるが、図６ではｘまたはｙの一方向の位置ずれを対象としている。
【００５５】
図９のＱ１，Ｑ２，Ｑ３はそれぞれキャリブレーションの時間Ｔ１，Ｔ２，Ｔ３に測定した計測値である。ビーム照射位置の位置ずれの傾向を示すビーム位置特性の検出は、キャリブレーションチップ上に形成した基準マークを使用し、周知の方法によって行う。すなわち、基準マークの中心が各コラムセルの光軸直下に位置するようにウエハステージを移動し、基準マーク上を電子ビームが照射するように電子ビームを偏向器を用いて走査する。反射電子検出器により走査時の反射電子信号を検出し、この反射電子信号を信号処理して、ビーム照射位置を算出する。実際の基準マークの配置されている位置と比較することにより、電子ビームの照射位置を算出し、ビーム位置特性を測定する。
【００５６】
図９の曲線Ｄ１（Ｔ）は、予測関数を用いて算出されるビーム位置予測曲線である。本実施形態では、式（１）に示す予測関数を例にとって説明する。
【００５７】
【数１】
0005305701.tif 000003
【００５８】
ここで、Δ（Ｔ）は時刻Ｔにおける予測値、Ｑｉは時刻Ｔｉにおける電子ビーム照射位置の計測値、ｎは自然数である。
【００５９】
例えば、式（１）において、ｎ＝３とし、過去の３つの時点Ｔ１，Ｔ２，Ｔ３（Ｔ１＜Ｔ２＜Ｔ３）のデータを使用し、Ｔ１での計測値をＱ１，Ｔ２での計測値をＱ２，Ｔ３での計測値をＱ３とすると、時刻Ｔにおけるビーム位置の予測値Δ（Ｔ）は次の２次式で求められる。
【００６０】
【数２】
0005305701.tif 000004
【００６１】
図１０において、時刻Ｔ３から次のキャリブレーションまでの間は、時刻Ｔ３において算出した式（２）によりビーム位置を算出する。ビーム位置予測曲線Ｄ１（Ｔ）は、計測値Ｑ１，Ｑ２，Ｑ３を通過するカーブフィットした予測曲線である。なお、Δ（Ｔ）においてｎ＝２を適用する場合、例えば、計測値Ｑ２，Ｑ３を通過する予測曲線は、直線となる。時刻Ｔ３から次のキャリブレーションまでの時間間隔は任意に設定してよい。
【００６２】
ビーム位置を算出した後、そのずれ量をキャンセルするようなビーム偏向量を算出する。例えば図１０のＴ３′においてＱ３′と予測されたとする。この場合、−Ｑ３′になるように各コラムセルの第５静電偏向器１１９に印加する電圧量を補正する値を算出する。
【００６３】
試料上で電子ビームの照射位置を偏向する偏向器の、Ｘ方向とＹ方向の２方向の電極を有する静電偏向器に加えられる電圧は、Ｘ方向の入力は式（３）、Ｙ方向の入力は式（４）で表わされる。
【００６４】
【数３】
0005305701.tif 000005
【００６５】
【数４】
0005305701.tif 000006
【００６６】
この値に比例した電圧が静電偏向器の電極に印加され、電子ビームを偏向する。この式においてＧx，Ｇyはゲイン補正係数、Ｒx，Ｒyはローテーション補正係数、Ｏx，Ｏyは、オフセット調整係数である。
【００６７】
偏向器に印加する電圧のうち、例えば、Ｏｘ，Ｏｙを調整することによって上記の位置ずれをなくすようにする。
【００６８】
ビーム照射位置は、式（５）及び式（６）で補正する。
【００６９】
【数５】
0005305701.tif 000007
【００７０】
【数６】
0005305701.tif 000008
【００７１】
この式において、Ｂｘ，Ｂｙは定数、Ｐは気圧測定値、Ｐ０は定数である。Ｑ（Ｘα）、Ｑ（Ｙα）は、式（１）にＸα、Ｙαを適用した値である。すなわち、気圧の変動分を予測関数に加算又は減算することによって偏向量を調整している。
【００７２】
これらの値を各コラムセル記憶部３５に格納し、各コラムセルで電子ビームを照射する際に補正された電圧量で電子ビームを偏向する。
【００７３】
気圧の変動によって、ビームの焦点も変化する。この焦点は次式で補正する。
【００７４】
【数７】
0005305701.tif 000009
【００７５】
ここで、Ａは定数、Ｐは気圧測定値、Ｐ０は定数。
【００７６】
通常、ビームの焦点の検出は、電磁レンズのフォーカスコイルの電流を変化させて焦点位置を変化させながら試料上に形成された基準マークを走査し、反射電子を検出した検出器の信号変化から、変化が最も先鋭であるときを最適な焦点としている。このときのフォーカスコイルに供給する電流に対して式（７）の気圧変動分をフォーカスコイルの電流値に加算又は減算することによって焦点を調整する。
【００７７】
なお、焦点を補正した場合は、ゲイン補正係数Ｇやローテーション補正係数Ｒも気圧変化に依存する微小部分を式（８）及び式（９）のように補正した値を式（３）及び式（４）に適用する。
【００７８】
【数８】
0005305701.tif 000010
【００７９】
【数９】
0005305701.tif 000011
【００８０】
ここで、ｇ0は気圧変化に依存しないゲイン補正係数、ｇ1は気圧変化に依存するゲイン補正係数、ｒ0は気圧変化に依存しないローテーション補正係数、ｒ1は気圧変化に依存するローテーション補正係数、Ｐは気圧測定値、Ｐ０は定数である。
【００８１】
次に、キャリブレーションを実施する間隔の最適化について説明する。
【００８２】
図１０に示すように、キャリブレーション時刻Ｔ３においてビーム特性を実測した後、次のキャリブレーション時刻Ｔnextまでは予測関数に基づいて補正している。時刻Ｔnextにおける予測値Ｑｐ（Ｔnext）も予測関数に基づいて算出されている。
【００８３】
補正された露光データに従って露光処理を行い、時刻Ｔnextになった時点で再びビーム特性を実測する。このとき予測値Ｑｐ（Ｔnext）と計測値Ｑａ（Ｔnext）との差分Ｑａ（Ｔnext）−Ｑｐ（Ｔnext）をビーム特性誤差δとする。
【００８４】
このビーム特性誤差δの値によって、キャリブレーションの間隔を調整する。例えば、許容誤差δａを予め設定しておき、ビーム照射位置ずれが許容誤差δａ以下であれば、キャリブレーション間隔は変更しないか、又は長くする。キャリブレーション間隔を長くした場合には、スループットの向上を図ることができる。逆に、ビーム照射位置が許容誤差δａを超えていれば、露光精度が劣化してしまうため、キャリブレーション間隔を短くする。この場合は、露光精度の劣化を防止することができる。
【００８５】
以上説明したように、本実施形体では、電子ビーム光学鏡筒及び試料室からなる電子ビーム露光装置本体を外気から隔離する環境チャンバー内に収容し、外部の気圧を計測して気圧変動を十分滑らかな気圧変動関数で近似し、環境チャンバーの気圧をこの気圧変動関数に合わせるようにしている。このような気圧変化の状況下で、ビーム照射位置の予測関数と環境チャンバー内の気圧の変化を基に、ビーム照射位置を予測している。予測関数は、例えば、過去に実測した数点を通る曲線を現す関数である。予測したビーム照射位置に基づいて、露光データの補正量を算出し、偏向器に印加する電圧値を算出している。
【００８６】
このように、環境チャンバー内の気圧を滑らかに変動させているため、ビームのドリフトの予測値と実際のドリフト値とが大きくずれることがなくなり、ビーム照射位置を補正することが可能となる。これにより、気圧の変動が高速であっても、気圧の変動に対して高い剛性の特別な環境チャンバーを用意することなく、気圧の変動による影響を極力削減して、ビーム照射位置のドリフトを低減し、露光精度を向上することが可能となる。
【００８７】
また、本実施形態では、予測値と計測値との差の値によってキャリブレーション時間間隔を調整している。予測値と計測値との誤差が所定の値より小さい場合は、露光精度を保ったまま、キャリブレーションの頻度を少なくすることができ、露光に寄与しない時間を減らして露光スループットを向上させることができる。
【００８８】
また、予測値と計測値との誤差が所定の値より大きい場合は、キャリブレーションの頻度を多くして、露光精度を向上させることが可能になる。キャリブレーションの頻度を増やした結果露光精度が向上した場合には、再度キャリブレーションの頻度を少なくすることも可能であり、露光開始から終了まで露光精度を保ちながら露光スループットを向上させることが可能となる。
【００８９】
（マルチコラム電子ビーム露光方法）
次に、上記したマルチコラム電子ビーム露光装置における露光方法について説明する。
【００９０】
図１１は、本実施形態に係るマルチコラム電子ビーム露光装置による環境チャンバー内の気圧調整処理の一例を示すフローチャートである。
【００９１】
まず、ステップＳ１１では、環境チャンバーの外部の気圧を計測し、計測値を記録する。計測は環境の変化を追従可能な時間毎、例えば１分毎に計測する。
【００９２】
次のステップＳ１２では、ステップＳ１１で計測された気圧を基に、滑らかな気圧変動関数を算出する。滑らかな気圧変動関数は、例えば、過去の測定値を移動平均することによって算出する。
【００９３】
次のステップＳ１３では、ステップＳ１２で算出された気圧変動関数に従って、環境チャンバー内の気圧を調整する。
【００９４】
図１２は、本実施形態に係るマルチコラム電子ビーム露光装置によるビームドリフト予測及びキャリブレーション時間間隔調整処理を含んだ露光処理の一例を示すフローチャートである。
【００９５】
まず、ステップＳ２１で、初期設定をする。初期設定では、キャリブレーションの時間間隔を決定する。例えば、５分とする。また、キャリブレーション時間を示すカウンタｎを１とする。
【００９６】
次に、ステップＳ２２では、キャリブレーションの時間か否かを判定する。キャリブレーション時間であればステップＳ２３に移行し、キャリブレーション時間でなければステップＳ２８に移行する。
【００９７】
次に、ステップＳ２３では、キャリブレーション時間Ｔ（ｎ）におけるビーム位置を測定し、ビーム位置ずれの計測値を取得して記憶部に記録する。ビーム位置はコラムセルの偏向器によって電子ビームを、基準マーク上を通過するように走査して、基準マークの反射電子を取得し、信号処理をしてビーム位置を取得する。
【００９８】
次のステップＳ２４、Ｓ２５においてキャリブレーション間隔の調整を行う。
【００９９】
ステップＳ２４では、直前のキャリブレーション時間Ｔ（ｎ−１）において予測された時間Ｔ（ｎ）でのビーム位置ずれの予測値を記憶部３５から取得する。
【０１００】
次にステップＳ２５では、ステップＳ２３において実測したビーム位置ずれの計測値と、ステップＳ２４で取得した予測関数で予測したビーム位置ずれの予測値との差分（ビーム特性誤差）を算出する。
【０１０１】
算出したビーム特性誤差に応じてキャリブレーションの時間間隔を調整する。例えば、許容誤差δａを設定しておき、ビーム特性誤差が許容誤差δａより小さければ、キャリブレーション間隔の変更はしないか、又はキャリブレーション間隔を伸ばすようにする。また、ビーム特性誤差が許容誤差δａを超えている場合はキャリブレーション間隔を短くする。
【０１０２】
次に、ステップＳ２６では、キャリブレーションを実施した時点Ｔ（ｎ）以降の次のキャリブレーションＴ（ｎ＋１）までのビーム位置ずれを予測し、記憶部３５に格納する。
【０１０３】
ビーム位置ずれは、キャリブレーションを実施した時点以前のｎ個のビーム位置の計測値を予測関数に適用して算出する。この予測関数は、本実施形態において説明した式（１）に示す関数である。例えば、式（１）において３点の計測値を基にして２次の予測関数が得られる。
【０１０４】
次に、ステップＳ２７では、ステップＳ２６で算出したビーム位置ずれを基に、キャリブレーション実施時点以降で次のキャリブレーション実施までの間のビーム位置ずれをなくすように偏向器に印加する電圧の補正量を算出する。例えば、ウエハ（試料）の１フィールドが露光される時間（例えば２秒）ごとの補正量の算出を行う。
【０１０５】
次に、ステップＳ２８では、ステップＳ２７で算出し記憶部３５に格納された補正量に相当する電圧を偏向器に印加するようにして、露光処理を実施する。
【０１０６】
次に、ステップＳ２９では、露光が終了したか否かの判定を行う。露光が終了した場合は本処理を終了し、露光が終了していない場合はステップＳ３０でｎを１加算してステップＳ２２に戻り本処理を継続する。
【０１０７】
以上説明したように、気圧調整機能を備えた電子ビーム露光装置における電子ビーム露光方法では、電子ビーム露光装置が収容された環境チャンバーの外部の気圧を計測して気圧変動を十分滑らかな気圧変動関数で近似し、環境チャンバーの内部の気圧をこの気圧変動関数に合わせるようにしている。そして、数点の電子ビーム照射位置の計測値を、ビームドリフトを予測する予測関数に適用して、ビーム位置のドリフトを予測している。予測関数は、例えば、過去に実測した数点を通る曲線を現す関数である。次のキャリブレーションにおける電子ビーム特性の実測までの間、このドリフト予測値に基づいて偏向器に印加する電圧値を算出している。
【０１０８】
このように、環境チャンバー内の気圧を滑らかに変動させているため、ビームのドリフトの予測値と実際のドリフト値とが大きくずれることがなくなり、ビーム照射位置を補正することが可能となる。ビームのドリフトは、過去のビーム照射位置を基にして予測関数を算出している。
【０１０９】
これにより、気圧の変動が高速であっても、気圧の変動に対して高い剛性の特別な環境チャンバーを用意することなく、気圧の変動による影響を極力削減して、ビーム照射位置のドリフトを低減し、露光精度を向上することが可能となる。
【０１１０】
なお、上記実施形態では、環境チャンバー内に露光装置が収容されている場合について説明したが、この露光装置の調整のために人が環境チャンバー内に入る場合を考慮して、露光装置が収容される部分と外部との間に別のチャンバー（人用ロードロック室）を設けるようにしてもよい。この人用ロードロック室は、環境チャンバーと通じる第１の開閉口（扉）と、外部と通じる第２の開閉口（扉）を備えている。
【０１１１】
第１の扉が開かれるときは、環境チャンバーと人用ロードロック室の気圧を同一にし、第２の扉が開かれるときは、人用ロードロック室と外部との気圧を同一にするように制御される。
【０１１２】
また、本実施形態では、気圧の変化を滑らかな関数で近似する際に移動平均を適用したが、これに限らず、気圧の変化を平滑化できる方法であればよい。
【０１１３】
また、ビームドリフトを予測する際に式（１）に示す予測関数を適用したが、これに限らず、例えばスプライン関数等を適用して予測するようにしてもよい。
【０１１４】
さらに、本実施形態では、電子ビーム露光装置本体としてマルチコラム電子ビーム露光装置を対象として説明したが、これに限らず、シングルコラムの電子ビーム露光装置であってもよい。
【図面の簡単な説明】
【０１１５】
【図１】図１は、マルチコラム電子ビーム露光装置の構成図である。
【図２】図２は、図１に係る露光装置における１つのコラムセルの構成図である。
【図３】図３は、図１に係る露光装置のコラムセル制御部の模式図である。
【図４】図４は、４つのコラムセルを備えたマルチコラム電子ビーム露光装置の模式断面図である。
【図５】図５は、露光装置に圧力がかかったときの変動の様子を説明する図である。
【図６】図６は、気圧変動曲線の一例を示す図である。
【図７】図７は、気圧調整機能を備えた電子ビーム露光装置を示す模式構成図である。
【図８】図８は、気圧制御器の一例を示す図である。
【図９】図９は、ビーム位置ずれの予測曲線を示す図である。
【図１０】図１０は、ビーム位置ずれの予測及び計測値との差を説明する図である。
【図１１】図１１は、気圧調整処理の一例を示すフローチャートである。
【図１２】図１２は、ビームドリフト予測及びキャリブレーション時間調整処理を含んだ露光処理の一例を示すフローチャートである。
【符号の説明】
【０１１６】
５０…気圧調整機能を備えた電子ビーム露光装置、５１…環境チャンバー、５２…人用ロードロック室、５３、５４、５５…気圧計、５８…制御部、５９、６０…気圧制御器、８１…加圧ポンプ、８２…空気だめ、８３…エアーベアリング、１００…露光部、１０１…電子銃、１０２…第１電磁レンズ、１０３…ビーム整形用マスク、１０３ａ…矩形アパーチャ、１０４…第１静電偏向器、１０５…第２電磁レンズ、１０６…第２静電偏向器、１０７…第１補正コイル、１０８…第３電磁レンズ、１０９…第２補正コイル、１１０…露光用マスク、１１１…第４電磁レンズ、１１２…第３静電偏向器、１１３…第４静電偏向器、１１４…第５電磁レンズ、１１５…遮蔽板、１１５ａ…アパーチャ、１１６…第１投影用電磁レンズ、１１７…第３補正コイル、１１８…第４補正コイル、１１９…第５静電偏向器、１２０…電磁偏向器、１２１…第２投影用電磁レンズ、１２３…マスクステージ、１２４…ウエハステージ、１２５…駆動部、１２７…ブランキング電極。
【図１】
0005305701.tif 000014
【図２】
0005305701.tif 000015
【図３】
0005305701.tif 000016
【図４】
0005305701.tif 000017
【図５】
0005305701.tif 000018
【図６】
0005305701.tif 000019
【図７】
0005305701.tif 000020
【図８】
0005305701.tif 000021
【図９】
0005305701.tif 000022
【図１０】
0005305701.tif 000023
【図１１】
0005305701.tif 000024
【図１２】
0005305701.tif 000025